(57)【特許請求の範囲】
【請求項１】
天井（CE）に設置されて室内空間へ調和空気を吹き出す空気調和装置の室内ユニット（10）であって、
ケーシング（20）と、
上記ケーシング（20）の底部に形成され、該ケーシング（20）内に室内空気を吸い込むための吸込み開口（40）と、
上記ケーシング（20）における上記吸込み開口（40）の側方に形成され、上記室内空間へ調和空気を吹き出すための複数の吹出し開口（24a〜24d）と、
各々の上記吹出し開口（24a〜24d）に設けられ、調和空気の吹き出し方向を調節する風向調節羽根（51）と、
上記吸込み開口（40）から吸い込まれた空気が流れる吸込み流路（43）における一つの上記吹出し開口（24d）寄りに設けられ、上記吸込み流路（43）を流れる空気の温度を測定する温度センサ（60）と、
各々の上記風向調節羽根（51）の位置を、少なくとも、上記吹出し開口（24a〜24d）から調和空気を室内空間へ供給するための吹出し位置と、上記吹出し開口（24a〜24d）から吹き出された調和空気を上記吸込み開口（40）へ導くことによって上記室内空間へ吹き出される調和空気の流量を抑制する吹出し抑制位置とに設定可能な制御器（90）とを備え、
上記制御器（90）は、上記温度センサ（60）に最も近い一つの上記吹出し開口（24d）に設けられた上記風向調節羽根（51）のみの位置が、上記吹出し抑制位置となるのを禁止するように構成されている
ことを特徴とする空気調和装置の室内ユニット。
【請求項２】
天井（CE）に設置されて室内空間へ調和空気を吹き出す空気調和装置の室内ユニット（10）であって、
ケーシング（20）と、
上記ケーシング（20）の底部に形成され、該ケーシング（20）内に室内空気を吸い込むための吸込み開口（40）と、
上記ケーシング（20）における上記吸込み開口（40）の側方に形成され、上記室内空間へ調和空気を吹き出すための複数の吹出し開口（24a〜24d）と、
各々の上記吹出し開口（24a〜24d）に設けられ、調和空気の吹き出し方向を調節する風向調節羽根（51）と、
上記吸込み開口（40）から吸い込まれた空気が流れる吸込み流路（43）における一つの上記吹出し開口（24d）寄りに設けられ、上記吸込み流路（43）を流れる空気の温度を測定する温度センサ（60）と、
各々の上記風向調節羽根（51）の位置を、少なくとも、上記吹出し開口（24a〜24d）から調和空気を室内空間へ供給するための吹出し位置と、上記吹出し開口（24a〜24d）から吹き出された調和空気を上記吸込み開口（40）へ導くことによって上記室内空間へ吹き出される調和空気の流量を抑制する吹出し抑制位置とに設定可能な制御器（90）とを備え、
上記制御器（90）は、上記温度センサ（60）に最も近い一つの上記吹出し開口（24d）に設けられた上記風向調節羽根（51）の位置が、上記吹出し抑制位置となるのを禁止するように構成され、
上記ケーシング（20）は、該ケーシング（20）の底部に設けられた化粧パネル（22）を備え、
上記化粧パネル（22）は、周縁に沿って複数の上記吹出し開口（24a〜24d）が形成された本体部（23）と、該本体部（23）の中央部に配置されて複数の上記吹出し開口（24a〜24d）に囲まれる平板状部材（27）とを有し、
上記吸込み開口（40）は、上記平板状部材（27）の周縁に沿うように形成されている
ことを特徴とする空気調和装置の室内ユニット。
【請求項３】
請求項１または２において、
各々の上記吹出し開口（24a〜24d）は、上記ケーシング（20）の周縁に沿った細長い形状に形成され、
上記温度センサ（60）は、該温度センサ（60）に最も近い一つの上記吹出し開口（24d）の長手方向中央寄りに配置されている
ことを特徴とする空気調和装置の室内ユニット。
【発明の詳細な説明】
【技術分野】
【０００１】
本発明は、空気調和装置の室内ユニットに関するものである。
【背景技術】
【０００２】
従来より、天井に設置されて室内空間の空気調和を行う空気調和装置の室内ユニットが知られている（例えば、特許文献１）。室内ユニットは、ケーシングと、このケーシングの底部に形成され、当該ケーシング内に室内空気を吸い込むための吸込み開口と、ケーシングにおける吸込み開口の側方に形成され、室内空間へ調和空気を吹き出すための複数の吹出し開口と、各々の吹出し開口に設けられ、吹き出す調和空気の風向を調節する風向調節羽根とを備えている。そして、各々の風向調節羽根の位置は、少なくとも、吹出し開口から調和空気を室内空間へ供給するための吹出し位置（同文献中の図１２を参照）と、吹出し開口から室内空間へ吹き出される調和空気の流量を抑制する吹出し抑制位置（同文献中の図１５を参照）とに設定され得るように構成されている。
【先行技術文献】
【特許文献】
【０００３】
【特許文献１】特開２０１１−０９９６１２号公報
【発明の概要】
【発明が解決しようとする課題】
【０００４】
ところで、室内空気の温度が所定の目標温度に近づくように空気調和装置を制御するために、室内ユニットの吸込み開口から吸い込まれる空気の温度を測定する温度センサを当該室内ユニットに設けることが考えられる。温度センサを設ける場合、メンテナンス性の向上等の観点から、当該温度センサを複数の吹出し開口のうち一の吹出し開口寄りに設けることが好ましい。
【０００５】
ここで、室内ユニットの運転において温度センサに最も近い吹出し開口の風向調節羽根の位置を上記吹出し抑制位置に設定しても、当該吹出し開口からはある程度の量の調和空気が吸込み開口寄りの方向に吹き出され、室内空気のみでなく当該吹出し開口から吹き出された調和空気も吸込み開口から吸い込まれる。そのため温度センサが室内空気と調和空気との混合気体の温度を測定することとなり、当該温度センサによって室内空気の温度を正しく測定できないという問題が生じることがわかった。例えば、暖房運転を行っている場合、室内空気と比較的温度の高い調和空気との混合気体の温度を温度センサが測定することになるため、当該温度センサの測定値が実際の室内空気の温度よりも高くなる。
【０００６】
本発明は、かかる点に鑑みてなされたものであり、その目的は、空気調和装置の室内ユニットの温度センサが室内空気の温度を正しく測定できるようにすることにある。
【課題を解決するための手段】
【０００７】
第１の発明は、天井（CE）に設置されて室内空間へ調和空気を吹き出す空気調和装置の室内ユニット（10）を対象とする。空気調和装置の室内ユニット（10）は、ケーシング（20）と、上記ケーシング（20）の底部に形成され、該ケーシング（20）内に室内空気を吸い込むための吸込み開口（40）と、上記ケーシング（20）における上記吸込み開口（40）の側方に形成され、上記室内空間へ調和空気を吹き出すための複数の吹出し開口（24a〜24d）と、各々の上記吹出し開口（24a〜24d）に設けられ、調和空気の吹き出し方向を調節する風向調節羽根（51）と、上記吸込み開口（40）から吸い込まれた空気が流れる吸込み流路（43）における一つの上記吹出し開口（24d）寄りに設けられ、上記吸込み流路（43）を流れる空気の温度を測定する温度センサ（60）と、各々の上記風向調節羽根（51）の位置を、少なくとも、上記吹出し開口（24a〜24d）から調和空気を室内空間へ供給するための吹出し位置と、上記吹出し開口（24a〜24d）から吹き出された調和空気を上記吸込み開口（40）へ導くことによって上記室内空間へ吹き出される調和空気の流量を抑制する吹出し抑制位置とに設定可能な制御器（90）とを備え、上記制御器（90）は、上記温度センサ（60）に最も近い一つの上記吹出し開口（24d）に設けられた上記風向調節羽根（51）のみの位置が、上記吹出し抑制位置となるのを禁止するように構成されている。
【０００８】
上記第１の発明では、温度センサ（60）は、吸込み流路（43）のうち当該温度センサ（60）に最も近い一つの吹出し開口（24d）に近い部分を流れる空気の温度を測定する。ここで、温度センサ（60）に最も近い一つの吹出し開口（24d）に設けられた風向調節羽根（51）の位置が吹出し抑制位置に設定されると、当該吹出し開口（24d）から吹き出される調和空気が吸込み開口（40）へ導かれる。吸込み開口（40）へ導かれた調和空気は、吸込み流路（43）のうち温度センサ（60）が設けられた領域を流れる。したがって、温度センサ（60）は、吸込み開口（40）から吸い込まれる室内空気の温度ではなく、温度センサ（60）に最も近い一つの吹出し開口（24d）から吹き出された調和空気の温度、あるいは当該調和空気と室内空気との混合気体の温度を測定することになる。調和空気の温度は、一般に、室内空気の温度よりも高いかあるいは低い。したがって、温度センサ（60）の測定値は実際の室内空気の温度よりも高くなるかあるいは低くなる。つまり、温度センサ（60）が室内空気の温度を正しく測定できないという問題が生じる。
【０００９】
これに対し、本発明では、温度センサ（60）に最も近い一つの吹出し開口（24d）に設けられた風向調節羽根（51）のみの位置が吹出し抑制位置となるのを禁止している。このため、運転中の室内ユニット（10）は、温度センサ（60）に最も近い一つの吹出し開口（24d）から出た直後に吸込み開口（40）へ流入する調和空気がほとんど無い状態に保たれる。つまり、室内ユニット（10）の運転中において、吸込み開口（40）から吸込み流路（43）へ流入して温度センサ（60）の付近を流れる空気の温度は、吸込み開口（40）へ流入する室内空気の温度と実質的に等しくなる。したがって、温度センサ（60）の計測値は、吹出し開口（24a〜24d）から吹き出された調和空気の影響を実質的に受けず、室内温度と実質的に等しくなる。
【００１０】
第２の発明は、天井（CE）に設置されて室内空間へ調和空気を吹き出す空気調和装置の室内ユニット（10）を対象とする。空気調和装置の室内ユニット（10）は、ケーシング（20）と、上記ケーシング（20）の底部に形成され、該ケーシング（20）内に室内空気を吸い込むための吸込み開口（40）と、上記ケーシング（20）における上記吸込み開口（40）の側方に形成され、上記室内空間へ調和空気を吹き出すための複数の吹出し開口（24a〜24d）と、各々の上記吹出し開口（24a〜24d）に設けられ、調和空気の吹き出し方向を調節する風向調節羽根（51）と、上記吸込み開口（40）から吸い込まれた空気が流れる吸込み流路（43）における一つの上記吹出し開口（24d）寄りに設けられ、上記吸込み流路（43）を流れる空気の温度を測定する温度センサ（60）と、各々の上記風向調節羽根（51）の位置を、少なくとも、上記吹出し開口（24a〜24d）から調和空気を室内空間へ供給するための吹出し位置と、上記吹出し開口（24a〜24d）から吹き出された調和空気を上記吸込み開口（40）へ導くことによって上記室内空間へ吹き出される調和空気の流量を抑制する吹出し抑制位置とに設定可能な制御器（90）とを備え、上記制御器（90）は、上記温度センサ（60）に最も近い一つの上記吹出し開口（24d）に設けられた上記風向調節羽根（51）の位置が、上記吹出し抑制位置となるのを禁止するように構成され、上記ケーシング（20）は、該ケーシング（20）の底部に設けられた化粧パネル（22）を備え、上記化粧パネル（22）は、周縁に沿って複数の上記吹出し開口（24a〜24d）が形成された本体部（23）と、該本体部（23）の中央部に配置されて複数の上記吹出し開口（24a〜24d）に囲まれる平板状部材（27）とを有し、上記吸込み開口（40）は、上記平板状部材（27）の周縁に沿うように形成されていることを特徴とする。
【００１１】
上記第２の発明では、本体部（23）の中央部の全体が吸込み開口である場合に比べ、吸込み開口（40）へ流入する空気の流速が高くなる。このため、吹出し開口（24a〜24d）から吹き出された調和空気が、吸込み開口（40）へ向かう気流に引き寄せられやすくなり、吹出し開口（24a〜24d）から吹き出された直後に吸込み開口（40）へ流入する調和空気の流量が多くなるおそれがある。つまり、温度センサ（60）に最も近い一つの吹出し開口（24d）に設けられた風向調節羽根（51）の位置が吹出し抑制位置に設定されると、温度センサ（60）が室内空気の温度を正しく測定できないという問題が顕著に現れやすい。しかし、本発明では、温度センサ（60）に最も近い一つの吹出し開口（24d）に設けられた風向調節羽根（51）の位置が吹出し抑制位置に設定されるのを禁止しているので、上記第１の発明と同様に上記の問題が生じない。
【００１２】
第３の発明は、上記第１または第２の発明において、各々の上記吹出し開口（24a〜24d）は、上記ケーシング（20）の周縁に沿った細長い形状に形成され、上記温度センサ（60）は、該温度センサ（60）に最も近い一つの上記吹出し開口（24d）の長手方向中央寄りに配置されていることを特徴とする。
【００１３】
上記第３の発明では、温度センサ（60）が室内空気の温度を正しく測定できないという問題が顕著に現れやすい。すなわち、吹出し開口（24a〜24d）の中央寄りの部分では端部寄りの部分に比べて吹き出される調和空気の流量が大きい。そのため、温度センサ（60）に最も近い一つの吹出し開口（24d）に設けられた風向調節羽根（51）の位置が吹出し抑制位置に設定されると、比較的多くの調和空気が、吸込み流路（43）のうち温度センサ（60）が設けられた領域に流入することになる。しかし、本発明では、温度センサ（60）に最も近い一つの吹出し開口（24d）に設けられた風向調節羽根（51）の位置が吹出し抑制位置に設定されるのを禁止しているので、上記第１の発明と同様に上記の問題が生じない。
【発明の効果】
【００１４】
本発明によれば、吸込み流路（43）のうち温度センサ（60）が設けられた領域に、吹出し開口（24a〜24d）から吹き出された調和空気が実質的に流入せず、吸込み開口（40）から吸い込まれた室内空気が主に流入する。したがって、室内ユニット（10）の温度センサ（60）が室内空気の温度を正しく測定できる。
【図面の簡単な説明】
【００１５】
【図１】図１は、実施形態の空気調和装置の室内ユニットを示した斜視図である。
【図２】図２は、実施形態の空気調和装置の室内ユニットを示した下面図である。
【図３】図３は、図２のIII−III線における断面図である。
【図４】図４は、制御器の構成を示すブロック図である。
【図５】図５は、水平吹き位置にある風向調節羽根を示す化粧パネルの要部の断面図である。
【図６】図６は、下吹き位置にある風向調節羽根を示す化粧パネルの要部の断面図である。
【図７】図７は、吹出し抑制位置にある風向調節羽根を示す化粧パネルの要部の断面図である。
【図８】図８は、室内ユニットが行う気流ローテーションの１サイクルを示す説明図であって、各動作における室内ユニットの下面を模式的に示したものである。
【図９】図９は、下吹き位置と吹出し抑制位置との中間にあたる位置にある風向調節羽根を示す化粧パネルの要部の断面図である。
【図１０】図１０は、その他の実施形態の室内ユニットを示す図３相当図である。
【発明を実施するための形態】
【００１６】
本発明の実施形態を図面に基づいて詳細に説明する。なお、以下の実施形態は、本質的に好ましい例示であって、本発明、その適用物、あるいはその用途の範囲を制限することを意図するものではない。
【００１７】
−室内ユニットの構成−
図１に示すように、室内ユニット（10）は、概ね直方体箱状に形成されていて、室外ユニット（図示せず）と配管接続されて空気調和装置を構成している。室内ユニット（10）は、天井（CE）に設置されて室内空間に調和空気を吹き出すように構成されていて、例えば暖房運転や冷房運転を行うように構成されている。室内ユニット（10）は、ケーシング（20）と、室内ファン（31）と、室内熱交換器（32）と、ドレンパン（33）と、ベルマウス（34）と、温度センサ（60）と、風向調節羽根（51）と、制御器（90）とを備えている。
【００１８】
〈ケーシング〉
図１および図３に示すように、ケーシング（20）は、ケーシング本体（21）と化粧パネル（22）とから構成されている。ケーシング本体（21）は、下方に向かって開口する概ね直方体状に形成されていて、天井（CE）に形成された開口部に埋め込まれている。つまり、本実施形態の室内ユニット（10）は、いわゆる天井埋込型の室内ユニットである。ケーシング本体（21）は、その上面を構成する天板（21a）と、この天板（21a）の周縁部から下方に延びる側板（21b）とを有している。
【００１９】
図１〜図３に示すように、化粧パネル（22）は、ケーシング（20）の底部に設けられていて、下面視で正方形状に形成された上下に扁平な部材である。化粧パネル（22）は、径方向外側に配置された本体部（23）と、この本体部（23）の中央部に配置された吸込部品（26）とを有している。
【００２０】
図１〜図３に示すように、本体部（23）は、ケーシング本体（21）の側板（21b）の下端に連続するように設けられている。本体部（23）は、平面視で、天井（CE）に形成された室内ユニット（10）を設置するための開口部よりも大きな正方形枠状に形成されている。このため、本体部（23）は当該開口部よりも径方向外側へ張り出していて、室内空間へ露出している。
【００２１】
本体部（23）には、概ね四角い輪状の吹出口（23b）が形成されている。図２に示すように、吹出口（23b）は、四つの主吹出し開口（24a〜24d）と、四つの副吹出し開口（25a〜25d）とに区分されている。
【００２２】
四つの主吹出し開口（24a〜24d）は、第１主吹出し開口（24a）、第２主吹出し開口（24b）、第３主吹出し開口（24c）、および第４主吹出し開口（24d）から構成されている。第１〜第４主吹出し開口（24a〜24d）は、それぞれ本体部（23）を上下方向に貫通している。第１〜第４主吹出し開口（24a〜24d）は、本体部（23）の四つの辺部にそれぞれ沿って延びるように形成されている。すなわち、各々の主吹出し開口（24a〜24d）は、ケーシング（20）の周縁に沿った細長い形状に形成されている。本体部（23）の中央部には、この本体部（23）を上下方向に貫通する取付口（23a）が形成されている。
【００２３】
四つの副吹出し開口（25a〜25d）は、第１副吹出し開口（25a）、第２副吹出し開口（25b）、第３副吹出し開口（25c）、および第４副吹出し開口（25d）から構成されている。第１〜第４副吹出し開口（25a〜25d）は、１／４円弧状の開口であって、それぞれ本体部（23）を上下方向に貫通している。第１〜第４副吹出し開口（25a〜25d）は、本体部（23）の四つの角部にそれぞれ形成されている。
【００２４】
図２および図３に示すように、吸込部品（26）は、本体部（23）の取付口（23a）に取り付けられている。吸込部品（26）は、下面視で実質的に正方形状に形成されている。吸込部品（26）は、第１板部材（27）と、第２板部材（28）と、第３板部材（29）と、吸込フィルタ（30）とを有している。
【００２５】
第１板部材（27）は、正方形板状の部材であって、吸込部品（26）の底面を構成している。第１板部材（27）は、その各辺が取付口（23a）の壁部と平行になるように当該取付口（23a）の中央に配置されている。第１板部材（27）の下面は、化粧パネル（22）の本体部（23）の内側部分の下面とほぼ面一になっている。なお、第１板部材（27）の下面の高さ位置が、本体部（23）の内側部分の下面の高さ位置と異なっていてもよい。第１板部材（27）は、平板状部材を構成している。
【００２６】
第２板部材（28）は、第１板部材（27）の外周縁と所定の間隔をおいて設けられかつ上下に延びる湾曲板状の部材である。第２板部材（28）は、下縁が第１板部材（27）とほぼ同じ高さに位置していて、上縁に向かうにつれて径方向内側に向かいかつ径方向外側に凸となるように湾曲している。
【００２７】
第３板部材（29）は、第２板部材（28）の径方向外側にこの第２板部材（28）と所定の間隔をおいて設けられかつ上下に延びる湾曲板状の部材である。第３板部材（29）は、下縁が第１板部材（27）とほぼ同じ高さに位置していて、上縁に向かうにつれて径方向内側に向かいかつ径方向外側に凸となるように湾曲している。
【００２８】
第１板部材（27）と第２板部材（28）との間には、第１吸込み開口（41）が形成されている。第１吸込み開口（41）は、本体部（23）と第１板部材（27）との間に当該第１板部材（27）の周縁に沿うように形成されている。第２板部材（28）と第３板部材（29）との間には、第２吸込み開口（42）が形成されている。第２吸込み開口（42）は、本体部（23）と第１板部材（27）との間に第２板部材（28）の周縁に沿うように形成されている。第１吸込み開口（41）および第２吸込み開口（42）は、第１板部材（27）の周縁に沿うように形成された吸込み開口（40）を構成している。
【００２９】
吸込フィルタ（30）は、吸込部品（26）の上部に設けられた上下に扁平な直方体状の部材である。吸込フィルタ（30）は、第１および第２吸込み開口（41,42）から吸い込まれた空気の中の塵埃を捕捉するように構成されている。
【００３０】
〈室内ファン〉
室内ファン（31）は、ケーシング（20）の内部中央に配置される。この例では、室内ファン（31）は、第１および第２吸込み開口（41,42）から吸い込んだ空気を側方から径方向外方へ吹き出すように構成されている。具体的には、室内ファン（31）は、ファンモータ（31a）と羽根車（31b）とを有している。ファンモータ（31a）は、ケーシング（20）の天板（21a）に固定され、羽根車（31b）は、ファンモータ（31a）の回転軸に連結されている。
【００３１】
〈室内熱交換器〉
室内熱交換器（32）は、室内ファン（31）の周囲を囲うように配置され、冷媒と室内ファン（31）によって搬送された空気とを熱交換させるように構成されている。例えば、室内熱交換器（32）は、クロスフィン式のフィン・アンド・チューブ型熱交換器によって構成されている。また、室内ユニット（10）に設けられる室内熱交換器（32）と、室外ユニット（図示せず）に設けられる圧縮機と室外熱交換器と膨張弁とが配管接続されて、冷媒回路が構成されている。この冷媒回路では、冷媒が可逆に循環して蒸気圧縮式冷凍サイクルが行われる。そして、室内熱交換器（32）は、冷房運転では蒸発器として機能して空気を冷却し、暖房運転では放熱器（凝縮器）として機能して空気を加熱する。
【００３２】
〈ドレンパン〉
ドレンパン（33）は、上下に扁平な直方体状に形成され、室内熱交換器（32）の下側に配置される。また、ドレンパン（33）には、１つの空気導入口（33a）と、複数（この例では、四つ）の空気導出口（33b）と、ドレン溝（33c）とが形成されている。空気導入口（33a）は、ドレンパン（33）の中央部に形成されていて、ドレンパン（33）を上下に貫通している。空気導入口（33a）は、化粧パネル（22）の取付口（23a）と連通している。四つの空気導出口（33b）は、空気導入口（33a）の周囲に形成され、ドレンパン（33）を上下に貫通している。この例では、四つの空気導出口（33b）は、ドレンパン（33）の四つの辺部にそれぞれ沿うように形成されている。各々の空気導出口（33b）は、化粧パネル（22）の対応する主吹出し開口（24a〜24d）と連通している。ドレン溝（33c）は、室内熱交換器（32）の下端に沿うように環状に形成され、室内熱交換器（32）において発生した凝縮水を受ける。ドレン溝（33c）は、空気導入口（33a）と四つの空気導出口（33b）との間を環状に延びている。
【００３３】
〈ベルマウス〉
ベルマウス（34）は、上縁から下縁へ向かうにつれて開口面積が拡大する筒状に形成され、その上縁が室内ファン（31）の開口下端（吸込口）に挿入された状態で、ドレンパン（33）の空気導入口（33a）に収容される。第１および第２吸込み開口（41,42）からベルマウス（34）の上縁の開口までにわたる空間は、第１および第２吸込み開口（41,42）から吸い込まれた空気が流れる吸込み流路（43）を構成している。
【００３４】
〈温度センサ〉
温度センサ（60）は、吸込み流路（43）を流れる空気の温度を測定するように構成されている。図３に示すように、温度センサ（60）は、ベルマウス（34）の下面に取り付けられた電装品箱（61）の側面に設けられている。また、図２および図３に示すように、温度センサ（60）は、吸込み流路（43）における第４主吹出し開口（24d）寄りに設けられている。すなわち、温度センサ（60）は、平面視において、室内ユニット（10）の中心部と第４主吹出し開口（24d）との間に設けられている。なお、電装品箱（61）には、室内ユニット（10）の各部品を制御するための制御基板や電源基板等が収容されている。温度センサ（60）は、第４主吹出し開口（24d）の長手方向中央寄り（図２における上下方向中央）に配置されている。また、図３に示すように、温度センサ（60）は、ベルマウス（34）の下縁の開口部に設けられている。ただし、温度センサ（60）は、吸込み流路（43）における他の任意の位置に設けられていてもよい。温度センサ（60）は、例えばサーミスタで構成されている。この例では、第４主吹出し開口（24d）は、温度センサ（60）に最も近い一つの吹出し開口を構成している。
【００３５】
〈風向調節羽根〉
図１〜図３に示すように、風向調節羽根（51）は、第１〜第４主吹出し開口（24a〜24d）の各々に１つずつ設けられていて、調和空気の吹き出し方向を調節するように構成されている。各々の風向調節羽根（51）は、各主吹出し開口（24a〜24d）の一端から他端にわたって延びる板状に形成されている。各々の風向調節羽根（51）は、中心軸（53）回りに所定の可動範囲にわたって回動可能に構成されている。風向調節羽根（51）の径方向外側端部は、当該風向調節羽根（51）が主吹出し開口（24a〜24d）を閉じた状態において当該主吹出し開口（24a〜24d）の外側縁部に重なる（例えば図３を参照）。
【００３６】
〈制御器〉
制御器（90）は、室内ユニット（10）の動作を制御するように構成されている。図４に示すように、制御器（90）は、風向制御部（91）を備えている。風向制御部（91）は、四つの風向調節羽根（51）の位置を制御するように構成されている。この風向制御部（91）は、四つの風向調節羽根（51）の位置を個別に制御するように構成されている。また、風向制御部（91）は、室内ユニット（10）が後述する通常吹出し動作、第１吹出し動作、および第２吹出し動作を実行できるように、風向調節羽根（51）の位置を制御するように構成されている。さらに、風向制御部（91）は、室内ユニット（10）が気流ローテーションを行うように、各主吹出し開口（24a〜24d）に設けられた風向調節羽根（51）の位置を変更するように構成されている。風向制御部（91）は、第４主吹出し開口（24d）に設けられた風向調節羽根（51）の位置が、後述する吹出し抑制位置となるのを禁止するように構成されている。なお、制御器（90）は、室内ファン（31）の回転速度の制御等も行う。
【００３７】
−室内ユニット内における空気の流れ−
室内ユニット（10）の運転中には、室内ファン（31）が回転する。室内ファン（31）が回転すると、室内空間の室内空気が、第１および第２吸込み開口（41,42）を通ってケーシング（20）内へ流入する。ケーシング（20）内へ流入した空気は、ベルマウス（34）の内部空間を通り、室内ファン（31）に吸い込まれた後に室内ファン（31）の径方向外方へ吹き出される。このとき、温度センサ（60）は、第１および第２吸込み開口（41,42）からケーシング（20）内へ流入してベルマウス（34）の内部空間へと流れる空気の温度（吸込み流路（43）を流れる空気の温度）を測定する。より具体的には、温度センサ（60）は、第１および第２吸込み開口（41,42）のうち第４主吹出し開口（24d）に近い部分からケーシング（20）内へ流入してベルマウス（34）の内部空間へと流れる空気の温度を測定する。
【００３８】
室内ファン（31）の径方向外方へ吹き出された空気は、室内熱交換器（32）を通過する間に冷却されまたは加熱され、その後に四つの空気導出口（33b）へ分かれて流入する。空気導出口（33b）に流入した空気は、第１〜第４主吹出し開口（24a〜24d）を通って室内空間へ吹き出される。
【００３９】
−風向調節羽根の動作−
上述したように、風向調節羽根（51）は、中心軸（53）回りに回動することによって、調和空気の吹き出し方向を調節する。風向調節羽根（51）の位置は、少なくとも、図５に示す水平吹き位置と、図６に示す下吹き位置と、図７に示す吹出し抑制位置とに設定可能である。水平吹き位置および下吹き位置は、それぞれ、主吹出し開口（24a〜24d）から調和空気を室内空間へ供給するための吹出し位置の一例である。
【００４０】
風向調節羽根（51）の位置が図５に示す水平吹き位置になっている場合は、空気導出口（33b）を下向きに流れてきた空気の流れの方向が横方向に変更され、主吹出し開口（24a〜24d）の吹出し気流が水平吹き状態となる。この場合、主吹出し開口（24a〜24d）の吹出し気流の方向（すなわち、主吹出し開口（24a〜24d）から吹き出される調和空気の流れの方向）は、水平方向に対して例えば２０°程度に設定される。この場合、厳密に言えば吹出し気流の方向は水平方向よりも僅かに下向きとなるが、気流の方向は実質的に水平方向であると言って差し支えない。
【００４１】
風向調節羽根（51）の位置が図６に示す下吹き位置になっている場合は、空気導出口（33b）を下向きに流れてきた空気の流れの方向が概ねそのまま維持され、主吹出し開口（24a〜24d）の吹出し気流が下吹き状態となる。この場合、吹出し気流の方向は、厳密に言えば、真下よりも第１および第２吸込み開口（41,42）から離れる方向に若干傾いた斜め下方向となる。
【００４２】
風向調節羽根（51）の位置が図７に示す吹出し抑制位置になっている場合は、主吹出し開口（24a〜24d）の大半が風向調節羽根（51）によって塞がれた状態になると共に、空気導出口（33b）を下向きに流れてきた空気の流れの方向が第１および第２吸込み開口（41,42）側に変更される。この場合、主吹出し開口（24a〜24d）を通過する際の空気の圧力損失が大きくなるため、主吹出し開口（24a〜24d）を通過する調和空気の流量が少なくなる。また、調和空気は、主吹出し開口（24a〜24d）から第１および第２吸込み開口（41,42）側へ向かって吹き出される。このため、主吹出し開口（24a〜24d）から吹き出された調和空気は、すぐに第１および第２吸込み開口（41,42）へ吸い込まれることとなる。つまり、風向調節羽根（51）が吹出し抑制位置となっている主吹出し開口（24a〜24d）では、当該主吹出し開口（24a〜24d）から吹き出された調和空気が第１および第２吸込み開口（41,42）に導かれることによって室内空間へ吹き出される調和空気の流量が抑制される。このため、風向調節羽根（51）が吹出し抑制位置となっている主吹出し開口（24a〜24d）からは、調和空気が室内空間へ実質的に供給されない。
【００４３】
−風向制御部の動作−
風向制御部（91）は、室内ユニット（10）が気流ローテーションを行うように、各主吹出し開口（24a〜24d）に設けられた風向調節羽根（51）の位置を変更する。図８に示すように、気流ローテーションの一つのサイクルでは、一回目の通常吹出し動作と、第１吹出し動作と、二回目の通常吹出し動作と、第２吹出し動作とが順に行われる。つまり、気流ローテーションの一つのサイクルでは、二回の通常吹出し動作と、一回の第１吹出し動作と、一回の第２吹出し動作とが行われる。なお、この気流ローテーション中において、室内ファン（31）の回転速度は、実質的に一定に保たれる。
【００４４】
〈暖房運転時の気流ローテーション〉
暖房運転時の通常吹出し動作において、風向制御部（91）は、全ての主吹出し開口（24a〜24d）の風向調節羽根（51）を、下吹き位置に設定する。このため、暖房運転時の通常吹出し動作では、四つの主吹出し開口（24a〜24d）から調和空気が下向きに吹き出される。
【００４５】
暖房運転時の第１吹出し動作において、風向制御部（91）は、第２および第４主吹出し開口（24b,24d）の風向調節羽根（51）を水平吹き位置に設定し、第１および第３主吹出し開口（24a,24c）の風向調節羽根（51）を吹出し抑制位置に設定する。このため、調和空気は、第２および第４主吹出し開口（24b,24d）から室内空間へ吹き出され、第１および第３主吹出し開口（24a,24c）からは室内空間へ実質的に吹き出されない。また、第２および第４主吹出し開口（24b,24d）の吹出し風速は、通常吹出し動作における吹出し風速よりも高くなる。つまり、この第１吹出し動作では、第２および第４主吹出し開口（24b,24d）から、調和空気が、通常吹出し動作中よりも高い流速で、実質的に水平方向へ向かって吹き出される。
【００４６】
暖房運転時の第２吹出し動作において、風向制御部（91）は、第１、第３および第４主吹出し開口（24a,24c,24d）の風向調節羽根（51）を水平吹き位置に設定し、第２主吹出し開口（24b）の風向調節羽根（51）を吹出し抑制位置に設定する。このため、調和空気は、第１、第３および第４主吹出し開口（24a,24c,24d）から室内空間へ吹き出され、第２主吹出し開口（24b）からは室内空間へ実質的に吹き出されない。また、第１、第３および第４主吹出し開口（24a,24c,24d）の吹出し風速は、通常吹出し動作における吹出し風速よりも高くなる。つまり、この第２吹出し動作では、第１、第３および第４主吹出し開口（24a,24c,24d）から、調和空気が、通常吹出し動作中よりも高い流速で、実質的に水平方向へ向かって吹き出される。すなわち、第１吹出し動作では第１主吹出し開口（24a）および第３主吹出し開口（24c）からの調和空気の吹出しが抑制される。一方、第４主吹出し開口（24d）の風向調節羽根（51）は、その位置が吹出し抑制位置になるのを禁止されている。このため、第２吹出し動作では、第２主吹出し開口（24b）のみにおいて調和空気の吹出しが抑制され、第４主吹出し開口（24d）からの調和空気の吹出しは抑制されない。
【００４７】
図８に示すように、暖房運転時の気流ローテーションの一つのサイクルでは、一回目の通常吹出し動作と、第１吹出し動作と、二回目の通常吹出し動作と、第２吹出し動作とが順に行われる。暖房運転時の気流ローテーションの一つのサイクルでは、一回目と二回目の通常吹出し動作のそれぞれの継続時間が、第１吹出し動作および第２吹出し動作のそれぞれの継続時間よりも短い時間に設定される。例えば、一回目および二回目の通常吹出し動作の継続時間は１２０秒に設定される一方、第１および第２吹出し動作の継続時間は３００秒に設定される。なお、一回目と二回目の通常吹出し動作の継続時間が、第１吹出し動作および第２吹出し動作のそれぞれの継続時間よりも長い時間、あるいは等しい時間に設定されてもよい。
【００４８】
〈冷房運転時の気流ローテーション〉
冷房運転時の通常吹出し動作において、風向制御部（91）は、全ての主吹出し開口（24a〜24d）の風向調節羽根（51）を、水平吹き位置と下吹き位置との間で往復運動させる。このため、冷房運転時の通常吹出し動作では、四つの主吹出し開口（24a〜24d）から調和空気が吹き出されると共に、主吹出し開口（24a〜24d）の吹出し気流の方向が変動する。なお、冷房運転時の通常吹出し動作では、風向調節羽根（51）の移動範囲の下限を、下吹き位置よりも高い位置（すなわち、水平吹き位置寄りの位置）に設定してもよい。
【００４９】
冷房運転時の第１吹出し動作において、風向制御部（91）は、暖房運転時の第１吹出し動作と同様に、第２および第４主吹出し開口（24b,24d）の風向調節羽根（51）を水平吹き位置に設定し、第１および第３主吹出し開口（24a,24c）の風向調節羽根（51）を吹出し抑制位置に設定する。したがって、冷房運転時の第１吹出し動作では、暖房運転時の第１吹出し動作と同様に、第２および第４主吹出し開口（24b,24d）から、調和空気が、通常吹出し動作中よりも高い流速で、実質的に水平方向へ向かって吹き出される。
【００５０】
冷房運転時の第２吹出し動作において、風向制御部（91）は、暖房運転時の第２吹出し動作と同様に、第１、第３および第４主吹出し開口（24a,24c,24d）の風向調節羽根（51）を水平吹き位置に設定し、第２主吹出し開口（24b）の風向調節羽根（51）を吹出し抑制位置に設定する。したがって、冷房運転時の第２吹出し動作では、暖房運転時の第２吹出し動作と同様に、第１、第３および第４主吹出し開口（24a,24c,24d）から、調和空気が、通常吹出し動作中よりも高い流速で、実質的に水平方向へ向かって吹き出される。すなわち、第１吹出し動作では第１主吹出し開口（24a）および第３主吹出し開口（24c）からの調和空気の吹出しが抑制される。一方、第４主吹出し開口（24d）の風向調節羽根（51）は、その位置が吹出し抑制位置になるのを禁止されている。このため、第２吹出し動作では、第２主吹出し開口（24b）のみにおいて調和空気の吹出しが抑制され、第４主吹出し開口（24d）からの調和空気の吹出しは抑制されない。
【００５１】
図８に示すように、冷房運転時の気流ローテーションの一つのサイクルでは、一回目の通常吹出し動作と、第１吹出し動作と、二回目の通常吹出し動作と、第２吹出し動作とが順に行われる。冷房運転時の気流ローテーションの一つのサイクルでは、一回目と二回目の通常吹出し動作のそれぞれの継続時間が、第１吹出し動作および第２吹出し動作のそれぞれの継続時間よりも長い時間に設定される。例えば、一回目および二回目の通常吹出し動作の継続時間は６００秒に設定される一方、第１および第２吹出し動作の継続時間は１２０秒に設定される。なお、一回目と二回目の通常吹出し動作の継続時間が、第１吹出し動作および第２吹出し動作のそれぞれの継続時間よりも短い時間、あるいは等しい時間に設定されてもよい。
【００５２】
−実施形態の効果−
本実施形態の室内ユニット（10）では、風向制御部（91）が、温度センサ（60）に最も近い一つの吹出し開口である第４主吹出し開口（24d）に設けられた風向調節羽根（51）の位置が吹出し抑制位置になるのを禁止している。このため、気流ローテーションの全ての動作状態において、第４主吹出し開口（24d）から吹き出される調和空気が、吸込み流路（43）のうち温度センサ（60）が設けられた領域に直接的に流入することが抑制される。したがって、吸込み流路（43）のうち温度センサ（60）が設けられた領域には第１および第２吸込み開口（41,42）から吸い込まれた室内空気が主に流入する。したがって、温度センサ（60）によって室内空気の温度を正しく測定することができる。
【００５３】
−実施形態の変形例−
実施形態の変形例について説明する。本変形例では、第４主吹出し開口（24d）に設けられた風向調節羽根（51）の、第２吹出し動作における位置が上記実施形態のものと異なる。
【００５４】
上記実施形態では、気流ローテーションにおける第２吹出し動作において、第４主吹出し開口（24d）に設けられた風向調節羽根（51）の位置は、暖房運転および冷房運転の両方において水平吹き位置に設定される。これに対し、本変形例では、第２吹出し動作において、第４主吹出し開口（24d）に設けられた風向調節羽根（51）の位置は、図９に示す位置（下吹き位置と吹出し抑制位置との中間に相当する位置）に設定される。これにより、第２吹出し動作において、第１および第３主吹出し開口（24a,24c）の吹出し風速を高めつつ、第４主吹出し開口（24d）から吹き出された調和空気が直接的に第１および第２吸込み開口（41,42）に流入するのを抑制することができる。したがって、温度センサ（60）によって室内空気の温度を正しく測定できる。
【００５５】
なお、室内ユニット（10）は、室内空間に調和空気を吹き出すのではなく、室内空間の空気を循環させる送風運転を行うように構成されていてもよい。送風運転では、室内ファン（31）が回転駆動される一方で室外ユニットの圧縮機が停止され、そのため冷媒回路において冷媒が循環しない。このため、室内ユニット（10）は、吸込み開口（40）から室内空気を吸い込んで、当該室内空気を加熱も冷却もすることなく各吹出し開口（24a〜24d、25a〜25d）から室内空間に吹き出す。送風運転では、制御器（90）が室内温度を所定の目標温度に近づける制御を行わないので、温度センサ（60）によって室内温度を正しく測定する必要がない。このため、送風運転では、風向制御部（91）は、第４主吹出し開口（24d）に設けられた風向調節羽根（51）の位置が吹出し抑制位置に設定されることを禁止しない。
【００５６】
《その他の実施形態》
上記実施形態では、吸込部品（26）の第１板部材（27）を囲うように吸込み開口（40）が形成されている。しかし、例えば、図１０に示すように、吸込部品（26）の第１板部材（27）の大きさと取付口（23a）の大きさとが平面視において同じで、吸込部品（26）の第１板部材（27）を本体部（23）よりも低い位置に配置することによって本体部（23）と第１板部材（27）との間に当該第１板部材（27）の周縁に沿うように吸込み開口（40）が形成されていてもよい。
【００５７】
また、上記実施形態では、吸込部品（26）の第１板部材（27）を囲うように吸込み開口（40）が形成されている。しかし、例えば、化粧パネル（22）の本体部（23）の中央部に、吹出口（23b）に囲まれた正方形状の吸込み開口が形成されていて、当該吸込み開口に格子状の吸込グリルが配置されていてもよい。
【００５８】
また、上記実施形態では、風向調節羽根（51）の径方向外側端部は、当該風向調節羽根（51）が主吹出し開口（24a〜24d）を閉じた状態において当該主吹出し開口（24a〜24d）の外側縁部に重なるように構成されている。しかし、風向調節羽根（51）の径方向外側端部は、当該風向調節羽根（51）が主吹出し開口（24a〜24d）を閉じた状態において当該主吹出し開口（24a〜24d）の外側縁部に重ならないように構成されていてもよい。
【００５９】
また、上記実施形態では、室内ユニット（10）は四方向に調和空気を吹き出すように構成されているが、例えば、二方向に調和空気を吹き出すように構成されていてもよい。
【００６０】
また、室内ユニット（10）は、天井（CE）の開口部に嵌め込まれる天井埋込型ではなく、ケーシング（20）が天井（CE）に吊り下げられた状態で設置される天井吊下型であってもよい。
【００６１】
《参考例》
以下では参考例について説明する。
【００６２】
本参考例では、風向制御部（91）が、温度センサ（60）に最も近い一つの吹出し開口である第４主吹出し開口（24d）に設けられた風向調節羽根（51）の位置が吹出し抑制位置になるのを許可するように構成されている。したがって、図８に示す気流ローテーションにおける第２吹出し動作において、第１および第３主吹出し開口（24a,24c）の風向調節羽根（51）が水平吹き位置に設定され、第２および第４主吹出し開口（24b,24d）の風向調節羽根（51）が吹出し抑制位置に設定される。
【００６３】
この場合、第４主吹出し開口（24d）から吹き出された調和空気が、吸込み流路（43）のうち温度センサ（60）が設けられた領域に直接的に流入することになる。具体的には、暖房運転では室内空気よりも温かい調和空気が吸込み流路（43）のうち温度センサ（60）が設けられた領域に流入し、冷房運転では室内空気よりも冷たい調和空気が吸込み流路（43）のうち温度センサ（60）が設けられた領域に流入する。したがって、温度センサ（60）の測定値は、暖房運転では実際の室内空気の温度よりも高い値となり、冷房運転では実際の室内空気の温度よりも低い値となる。
【００６４】
これに対し、本参考例では、温度センサ（60）の測定値を補正する。具体的には、暖房運転では、温度センサ（60）の測定値から所定値を差し引く補正を行い、冷房運転では、温度センサ（60）の測定値に所定値を加算する補正を行う。制御器（90）は、補正後の測定値に基づいて、室内ファン（31）の回転速度等を制御する。これにより、温度センサ（60）それ自体が室内空気の温度を正しく測定できなくても、室内空間の温度を所定の目標温度に近づけるように空気調和装置を制御することが可能となる。
【産業上の利用可能性】
【００６５】
以上説明したように、本発明は、空気調和装置の室内ユニットについて有用である。
【符号の説明】
【００６６】
10  室内ユニット
20  ケーシング
22  化粧パネル
23  本体部
27  第１板部材（平板状部材）
24a  第１主吹出し開口（吹出し開口）
24b  第２主吹出し開口（吹出し開口）
24c  第３主吹出し開口（吹出し開口）
24d  第４主吹出し開口（吹出し開口）
40  吸込み開口
43  吸込み流路
51  風向調節羽根
60  温度センサ
90  制御器
CE  天井
【図１】
0006323469.tif 000002
【図２】
0006323469.tif 000003
【図３】
0006323469.tif 000004
【図４】
0006323469.tif 000005
【図５】
0006323469.tif 000006
【図６】
0006323469.tif 000007
【図７】
0006323469.tif 000008
【図８】
0006323469.tif 000009
【図９】
0006323469.tif 000010
【図１０】
0006323469.tif 000011